(57)【特許請求の範囲】
【請求項１】
装置に設けられ、信号を伝送する複数の伝送路と、
前記伝送路の信号波形の調節により伝送特性が好適となる状態に調節可能な調節部と、
前記調節部による所定の前記伝送路の伝送特性の調節を制御する際に、当該伝送路に影響を与えると予め設定された他の伝送路の信号出力を停止させて前記他の伝送路からのクロストーク発生を抑止させる制御を行う制御部と、
を備えることを特徴とする通信装置。
【請求項２】
前記制御部は、前記伝送路の組み合わせ情報と、前記伝送路にクロストークの影響を与える前記他の伝送路の組み合わせ情報とに基づいて、前記伝送路のうち、同時に伝送特性を調節できる複数の前記伝送路の組み合わせを求め、組み合わせられた前記伝送路に対して信号波形を調節することを特徴とする請求項１に記載の通信装置。
【請求項３】
前記制御部は、前記伝送路の組み合わせの判定に基づいて、全ての前記伝送路を組み合わせたときの全体の調節の回数および前記伝送路の調節の順序を求め、前記調節の順序にしたがい前記組み合わせられた前記伝送路に対して信号波形を調節することを特徴とする請求項２に記載の通信装置。
【請求項４】
前記伝送路の情報と、前記伝送路の信号にクロストークの影響を与える前記他の伝送路の情報とを関連付けて記憶する記憶部を備え、
前記制御部は、前記記憶部に記憶された情報に基づいて、前記伝送路に対して信号波形を調節することを特徴とする請求項１〜３のいずれか一つに記載の通信装置。
【請求項５】
複数の前記伝送路に接続される複数の信号ユニットを備え、
前記記憶部は、前記信号ユニット毎に、信号伝送する前記伝送路の情報と、前記伝送路の信号にクロストークの影響を与える前記他の伝送路の情報とを関連付けて記憶し、
前記制御部は、前記信号ユニット毎に記憶された前記記憶部の情報を集約させ、前記集約させた情報に基づいて、前記調節部による前記伝送路の伝送特性の調節を制御することを特徴とする請求項４に記載の通信装置。
【請求項６】
通信装置に設けられて信号伝送する伝送路の情報と、前記伝送路の信号にクロストークの影響を与えると予め設定された他の伝送路の情報とを関連付けるステップと、
前記関連付けされた情報に基づいて、所定の前記伝送路の伝送特性の調節を制御する際に、当該伝送路に影響を与える前記他の伝送路を判定するステップと、
前記判定に基づいて、前記伝送路を信号調節して伝送特性が好適となる状態に変更させるステップと、
前記判定に基づいて、前記伝送路に対する信号調節時に、当該伝送路に影響を与える前記他の伝送路の信号出力を停止させて前記他の伝送路からのクロストーク発生を抑止させる制御を行うステップと、
を含むことを特徴とする通信装置設定方法。
【発明の詳細な説明】
【技術分野】
【０００１】
本発明は、電気信号を伝送する通信装置および通信装置設定方法に関する。
【背景技術】
【０００２】
通信装置および情報処理装置において、装置筐体内にバックワイヤリングボード（ＢＷＢ）を設け、このバックワイヤリングボードに対してプラグインユニットが装着されるものがある。バックワイヤリングボードを用いた電気信号の伝送は、一般的に用いられており、最近の通信装置では電気信号の伝送容量の増大に伴い、伝送速度が高速化されてきている。このような電気信号の伝送品質を確保するために、プリエンファシス、ラインイコライザ等の技術が用いられている。また、好適な伝送品質を確保するために、プリエンファシス、ラインイコライザは伝送路毎に好適な設定に調節して使用される。
【０００３】
通信装置内では、送信ユニットからバックワイヤリングボードを介して受信ユニット迄の間で複数の伝送路が接続されている。高速化された伝送路では、送信ユニットにプリエンファシス部が設けられ、また、受信ユニットにラインイコライザ部が設けられている。また、受信ユニットには、受信信号の波形状態をモニタする信号モニタ部が設けられ、モニタ情報から受信信号の状態が好適になるように、受信ユニットのイコライザの制御、および送信ユニットのプリエンファシス部に対してプリエンファシスおよびイコライザ設定を調節する制御の機能を有している。
【０００４】
このように、高密度、および高速化した通信装置では、伝送路間にクロストークが発生する。クロストークは、一般に近接する伝送路（平行配線パターン）間、およびバックワイヤリングボードと送信ユニット、受信ユニットとを接続するコネクタ部分で生じる。このため、この伝送路における信号方向や、信号（駆動回路）タイミング等の情報に基づいて、クロストークノイズの発生をプログラム上で検証する技術が開示されている（たとえば、下記特許文献１参照。）。
【先行技術文献】
【特許文献】
【０００５】
【特許文献１】特開２０００−６７１０４号公報
【発明の概要】
【発明が解決しようとする課題】
【０００６】
しかしながら、高密度、および高速化した通信装置において、受信ユニットでの受信信号の状態に基づいて、エンファシス／イコライザ設定を調節した場合には、伝送路間のクロストーク発生により、受信波形が歪む。そして、歪んだ波形に合わせたエンファシス／イコライザ設定で調節をおこなってしまうと、受信波形全体が歪んでしまい伝送路の性能から期待した伝送特性を実現できなくなるという問題が生じる。
【０００７】
図１０は、クロストークの影響を説明するための図である。クロストークがプリエンファシス調節結果に影響する場合の例を示した。送信波形Ａは、プリエンファシス調節中のパルス状の送信波形である。対応する受信波形Ａは、エンファシス調節中の受信波形であり、クロストークＸＴが乗り、波形の立ち上がり部分ａの振幅が見かけ上大きく見えてしまう。受信ユニットでは、クロストークＸＴの影響を受けた受信波形Ａを受信しているにもかかわらず、この受信波形Ａだけをみてエンファシス判定をおこなった結果、受信波形Ａは良好であり、送信ユニットでのプリエンファシス制御はおこなわなくてもよいと誤判定してしまう。
【０００８】
この結果、クロストークＸＴが生じていても、送信ユニットでは、プリエンファシスをおこなわない送信波形Ｂ（送信波形Ａと同じ）の信号を送信し、受信ユニットでは受信波形Ｂを検出することになる。この受信波形Ｂでは信号の立ち上がり部分ｂが緩やかで、開口（アイ）が小さく、伝送特性を向上することができない。なお、クロストークがない状態で、エンファシス判定が実施されたとき、本来はプリエンファシスを実施したほうがより開口（アイ）が大きくなる。このときの送信波形／受信波形はいずれもＣの状態に決定され、受信ユニットでは、本来このような立ち上がり部分ｃが急峻である良好な受信波形Ｃを得たいのであるが、得ることができなかった。
【０００９】
このように、エンファシス／イコライザ設定の調節でクロストークの影響を解消しようとした、クロストークの状態に基づいてエンファシス／イコライザ設定の調節を適切におこなう必要があるが、上述したように単純に受信波形に基づいてエンファシス／イコライザ設定をおこなうだけでは適切な受信波形を得ることができず、伝送特性を向上させることができなかった。
【００１０】
開示の通信装置および通信装置設定方法は、上述した問題点を解消するものであり、クロストークの影響を抑止して伝送路の信号調節がおこなえることを目的とする。
【課題を解決するための手段】
【００１１】
上述した課題を解決し、目的を達成するため、開示技術は、装置に設けられ、信号を伝送する複数の伝送路と、前記伝送路の信号波形の調節により伝送特性が好適となる状態に調節可能な調節部と、前記調節部による所定の前記伝送路の伝送特性の調節を制御する際に、当該伝送路に影響を与えると予め設定された他の伝送路の信号出力を停止させて前記他の伝送路からのクロストーク発生を抑止させる制御を行う制御部と、を備える。
【発明の効果】
【００１２】
開示の通信装置および通信装置設定方法によれば、クロストークの影響を抑止して伝送路の信号調節がおこなえるという効果を奏する。
【図面の簡単な説明】
【００１３】
【図１】図１は、実施の形態１にかかる通信装置を示す構成図である。
【図２】図２は、実施の形態１にかかるクロストークテーブルの内容を示す図である。
【図３】図３は、実施の形態１にかかる伝送路の好適化処理の処理内容を示すフローチャートである。
【図４】図４は、実施の形態１にかかる好適化処理の実施回数を判定する処理を示すフローチャートである。
【図５】図５は、実施の形態１にかかる好適化の実施回数の判定に用いるデータテーブルを示す図である。
【図６】図６は、実施の形態２にかかる通信装置を示す構成図である。
【図７】図７は、実施の形態２にかかる各クロストークテーブルの内容を示す図である。
【図８】図８は、実施の形態２にかかる好適化の実施回数の判定に用いるデータテーブルを示す図である。
【図９】図９は、実施の形態２にかかる伝送路の好適化処理の処理内容を示すフローチャートである。
【図１０】図１０は、クロストークの影響を説明するための図である。
【発明を実施するための形態】
【００１４】
以下に添付図面を参照して、開示技術の好適な実施の形態を詳細に説明する。
【００１５】
（実施の形態１）
実施の形態１では、通信装置全体における伝送路を単位として好適化処理を実施する構成について説明する。この好適化処理は、伝送路の伝送特性の向上のための調節であり、具体的にはプリエンファシスおよびラインイコライザを用いて電気信号の信号波形を好適な状態に設定（調節）する。加えて、好適化する伝送路については、他の伝送路からのクロストークの影響を抑止した状態で好適化を実施できるようにする。
【００１６】
（実施の形態１の構成）
図１は、実施の形態１にかかる通信装置を示す構成図である。図１に示すように、実施の形態にかかる通信装置１００は、バックワイヤリングボード１０１と、送信ユニット１０２と、受信ユニット１０３と、制御ユニット１０４と、を含んでいる。送信ユニット１０２からバックワイヤリングボード１０１を介して受信ユニット１０３に至る間には、信号を高速伝送する伝送路１０５が設けられている。図１に示す例では、伝送路１０５は、８系統の伝送路Ａ〜Ｈを有し、便宜上から図中には２系統の伝送路Ａ，Ｈ（およびこの伝送路Ａ，Ｈに関連する構成）のみを図示してある。
【００１７】
この通信装置１００は、たとえば、ラックマウントタイプのサーバであり、筐体前方に開口された複数のスロット部分から送信ユニット１０２、受信ユニット１０３が挿入され、これら送信ユニット１０２および受信ユニット１０３のコネクタ１０２ａ，１０３ａが筐体背部に設けられたバックワイヤリングボード１０１のコネクタ１０１ａ，１０１ｂに挿入されることにより、伝送路１０５が形成される。また、制御ユニット１０４についても、コネクタ１０４ａがバックワイヤリングボード１０１のコネクタ１０１ｃを介してバックワイヤリングボード１０１に電気的に接続される。
【００１８】
バックワイヤリングボード１０１は、送信ユニット１０２から出力された信号を受信ユニット１０３に伝送する複数系統の伝送路（Ａ〜Ｈ）１０５を有する。このほかに、制御信号伝送用のデータバス１０６が設けられている。伝送路１０５は、たとえば１ｍ程度の長さを有し、実際には何千（系統）と多数が設けられている。データバス１０６は、送信ユニット１０２，受信ユニット１０３，制御ユニット１０４との間で上述した好適化制御に必要な情報をやりとりするために設けられる。図示の例では、データバス１０６は、受信ユニット１０３で検出された各伝送路（Ａ〜Ｈ）１０５それぞれのモニタ情報ａ〜ｈや、制御ユニット１０４から送信ユニット１０２（および受信ユニット１０３）に出力される出力停止制御信号ｘ，好適化制御信号ｚの信号伝送用に用いられる。
【００１９】
送信ユニット１０２は、送信部（送信アンプ）１１１と、プリエンファシス部（信号強調部）１１２と、エンファシス制御部１１３とを有している。これら送信部１１１と、プリエンファシス部１１２と、エンファシス制御部１１３は、それぞれ伝送路１０５の系統数（図示の例では８系統）分、対応して設けられている。図１には、うち２系統の伝送路（Ａ，Ｈ）１０５に対応する送信部１１１ａ，１１１ｈと、プリエンファシス部１１２ａ，１１２ｈと、エンファシス制御部１１３ａ，１１３ｈを記載してある。
【００２０】
受信ユニット１０３は、受信部（受信アンプ）１２１と、ラインイコライザ（信号成形部）１２２と、イコライザ制御部１２３と、信号モニタ１２４とを有している。これら受信部（受信アンプ）１２１と、ラインイコライザ１２２と、イコライザ制御部１２３と、信号モニタ１２４についても、それぞれ伝送路１０５の系統数分（図示の例では８系統）、対応して設けられている。図１には、便宜上、うち２系統の伝送路（Ａ，Ｈ）１０５に対応する受信部１２１ａ，１２１ｈと、ラインイコライザ１２２ａ，１２２ｈと、イコライザ制御部１２３ａ，１２３ｈと、信号モニタ（Ａ）１２４ａ，（Ｂ）１２４ｈを記載してある。
【００２１】
制御ユニット１０４は、クロストークテーブル１３１と、好適化制御部１３２とを有している。クロストークテーブル１３１には、各伝送路（Ａ〜Ｈ）１０５において、クロストークの影響が考えられる伝送路（Ａ〜Ｈ）１０５の組み合わせの情報が設定され、記憶保持される。すなわち、このクロストークテーブル１３１には、ある伝送路１０５に対しクロストークの影響を与えることがなく、同時に動作することができる他の伝送路１０５の組み合わせが記憶保持される。好適化制御部１３２は、クロストークテーブル１３１に設定された情報に基づいて、ある伝送路１０５に対しクロストークの影響がなく同時に動作することができる他の伝送路１０５の組み合わせを判定し、好適化を実施する。
【００２２】
そして、好適化制御部１３２は、送信ユニット１０２に設けられたエンファシス制御部１１３（１１３ａ〜１１３ｈ）と、受信ユニット１０３に設けられたイコライザ制御部１２３（１２３ａ〜１２３ｈ）に対して、エンファシス／イコライザの好適化制御時に好適化制御信号ｚをデータバス１０６ｚを介して出力する。また、好適化制御部１３２は、ある伝送路１０５に対する好適化実施時に、この伝送路１０５に対してクロストークの影響がある他の伝送路１０５の信号出力を停止させる出力停止制御信号ｘをデータバス１０６ｘを介して出力する。
【００２３】
上記構成による制御ユニット１０４としては、たとえばコンピュータ装置を用い、好適化制御部１３２がＣＰＵで構成され、ＲＯＭに格納された好適化制御のプログラムを実行することにより、好適化制御を実行する。この際、ＲＡＭを作業用のデータエリアとして用いる。また、クロストークテーブル１３１の情報は、記憶部としてのＲＡＭ等に設定保持されるようになっている。
【００２４】
上記構成による送信ユニット１０２からバックワイヤリングボード１０１を介して受信ユニット１０３との間に接続される伝送路１０５およびデータバス１０６の接続構成について説明する。伝送路（Ａ）１０５ａでみると、送信ユニット１０２の送信部１１１ａから出力された信号がプリエンファシス部１１２ａで信号強調されてバックワイヤリングボード１０１の伝送路（Ａ）１０５ａ上で伝送される。この伝送路（Ａ）１０５ａ上の信号は、ラインイコライザ１２２ａで波形成形された後、受信部１２１ａに出力される。
【００２５】
また、受信ユニット１０３に設けられた信号モニタ（Ａ）１２４ａは、伝送路（Ａ）１０５ａの信号波形を検出し、検出したモニタ情報ａをデータバス１０６ａを介してイコライザ制御部１２３ａ、および受信ユニット１０３のエンファシス制御部１１３ａにそれぞれ出力する。エンファシス制御部１１３ａは、伝送路（Ａ）１０５ａのプリエンファシス部１１２ａに対し、モニタ情報ａに基づき送信する信号に対するプリエンファシス制御をおこなう。イコライザ制御部１２３ａは、伝送路（Ａ）１０５ａのラインイコライザ１２２ａに対し、モニタ情報ａに基づき受信する信号に対するラインイコライザ処理（波形成形等）の制御をおこなう。
【００２６】
これらプリエンファシスおよびラインイコライザ処理は、モニタ情報ａが示す波形状態を検出しながらおこなわれ、信号モニタ（Ａ）１２４ａにて信号波形が良好な状態になるようプリエンファシス値やラインイコライザ値を変更する。上記説明では、伝送路（Ａ）１０５ａに対応する構成について説明したが、他の伝送路（Ｂ〜Ｈ）１０５についても同様に系統別の伝送路１０５、およびデータバス１０６を用いて各系統別の構成が接続されている。
【００２７】
（クロストークテーブルについて）
図２は、実施の形態１にかかるクロストークテーブルの内容を示す図である。縦軸方向は好適化を実施する各伝送路Ａ〜Ｈであり、横軸方向は、好適化を実施する各伝送路Ａ〜Ｈに対してクロストーク源となる伝送路Ａ〜Ｈである。図１に示した各伝送路（Ａ〜Ｈ）１０５は、Ａ〜Ｈの順で互いが平行に配線されている。ここでは、伝送路同士間でクロストークが発生することとしたが、上述したコネクタ１０１ａ〜１０１ｃ，１０２ａ，１０３ａ，１０４ａ部分においても、内部の信号に対するピン配置によって伝送路上の信号が近接あるいは交差する等してクロストークが発生する。したがって、クロストークテーブル１３１には、このコネクタ１０１ａ〜１０１ｃ，１０２ａ，１０３ａ，１０４ａにおけるクロストークの情報を含めて設定する。
【００２８】
このクロストークテーブル１３１には、たとえば、伝送路Ａの好適化を実施する場合は、伝送路Ｂはアクティブ（信号通過）にできないことが設定（○印）されている。伝送路Ｂが伝送路Ａに隣接してクロストークの影響を与えるためである。また、伝送路Ｂの好適化を実施する場合は、この伝送路Ｂに隣接する一方の伝送路Ａと、他方の伝送路Ｃとをアクティブ（信号通過）にできないことが示されている。伝送路Ａ，Ｃが伝送路Ｂに隣接してクロストークの影響を与えるためである。
【００２９】
好適化制御部１３２は、ある伝送路Ａ〜Ｈの好適化実施時に、このクロストークテーブル１３１を参照する。そして、好適化を実施する一つの伝送路１０５を指定したとき、この伝送路を指定する好適化制御信号ｚをデータバス１０６ｚを介して出力する。出力された好適化制御信号ｚは、データバス１０６ｚを介して送信ユニット１０２の該当する伝送路のエンファシス制御部１１３と、受信ユニット１０３の該当する伝送路のイコライザ制御部１２３に入力され、エンファシス／イコライザの好適化がおこなわれる。
【００３０】
また、この好適化実施時には、好適化を実施する伝送路１０５に対してクロストークの影響がある伝送路をクロストークテーブル１３１から読み出す。そして、好適化を実施する伝送路に対してクロストークの影響を与える伝送路に該当する送信部１１１に対しては、出力停止制御信号ｘをデータバス１０６ｘを介して出力する。これにより、ある一つの好適化を実施する伝送路に対してクロストークの影響を与える伝送路は、信号が出力停止制御される。上記例では、伝送路Ｂの好適化を実施する場合は、この伝送路Ｂに隣接する一方の伝送路Ａと、他方の伝送路Ｃの信号を出力停止させる。
【００３１】
（好適化処理の処理内容について）
図３は、実施の形態１にかかる伝送路の好適化処理の処理内容を示すフローチャートである。図３に示した処理は、制御ユニット１０４が統括制御する。図３を用いて、好適化実施時における好適化を実施する伝送路と、この好適化を実施する伝送路に対してクロストーク源となる伝送路を出力停止させ、複数系統の伝送路をまとめて好適化する処理について説明する。
【００３２】
図３に示した処理は、通信装置の起動毎に実行され、制御ユニット１０４の好適化制御部１３２は、起動時毎の伝送路１０５の配置状態を確認する（操作Ｓ３０１）。この際、通信装置１００が有するユニット数の変更や、ユニット毎に異なるコネクタ内の内部配線に伴う変更の可能性がある。すなわち、バックワイヤリングボード１０１に挿抜される送信ユニット１０２および受信ユニット１０３の数やコネクタ仕様の変更により、クロストークテーブル１３１の設定値が異なるためである。ここで、クロストークテーブル１３１は、通信装置１００の構成にあわせて最新の状態であるとする。そして、制御ユニット１０４は、装置起動時にクロストークテーブル１３１を参照して、伝送路（Ａ〜Ｈ）１０５の配置状態を読み取る。
【００３３】
そして、制御ユニット１０４は、クロストークテーブル１３１の情報が図２に示す状態であるとき、このクロストークテーブル１３１の情報に基づいて、同時に好適化可能な伝送路１０５の系統数（本数）を算出する。この場合、図２の例では、ある伝送路に対してクロストークの影響がある伝送路は、隣接する一対の伝送路である。このため、好適化制御部１３２は、１回目の好適化実施時には、好適化する伝送路として一つおきの複数の伝送路（Ａ，Ｃ，Ｅ，Ｇ）１０５を選択する（操作Ｓ３０２、実施順１）。
【００３４】
この場合、全体の系統数が８であるため、４つの系統が選択されている。そして、選択した伝送路（Ａ，Ｃ，Ｅ，Ｇ）１０５に対しては、好適化制御信号ｚを出力する。この好適化制御信号ｚは、データバス１０６ｚを介して好適化する伝送路（Ａ，Ｃ，Ｅ，Ｇ）１０５に対応した送信ユニット１０２のエンファシス制御部１１３（１１３ａ，１１３ｃ…）、および受信ユニット１０３のイコライザ制御部１２３（１２３ａ，１２３ｃ…）に出力される。
【００３５】
これにより、好適化する伝送路（Ａ，Ｃ，Ｅ，Ｇ）１０５に対しては、エンファシス制御部１１３は、プリエンファシス部１１２に対して好適化のためのプリエンファシス値を好適とする制御をおこない、また、イコライザ制御部１２３は、ラインイコライザ１２２に対してラインイコライザ値を好適とする制御をおこなってプリエンファシスされた入力信号に対する整合処理をおこなう。これらにより、各伝送路（Ａ，Ｃ，Ｅ，Ｇ）１０５の信号に対する好適化が施される。
【００３６】
この操作Ｓ３０２では、好適化する伝送路（Ａ，Ｃ，Ｅ，Ｇ）１０５に対しては、送信ユニット１０２の各送信部１１１から信号を出力している。これと同時に、好適化制御部１３２は、クロストークテーブル１３１を参照して、信号を流した伝送路（Ａ，Ｃ，Ｅ，Ｇ）１０５に隣接する伝送路（Ｂ，Ｄ，Ｆ，Ｈ）１０５の情報を得る。そして、この伝送路（Ｂ，Ｄ，Ｆ，Ｈ）１０５については、データバス１０６ｘを介して出力停止制御信号ｘを出力する。この出力停止制御信号ｘは、データバス１０６ｘを介して出力停止する伝送路（Ｂ，Ｄ，Ｆ，Ｈ）１０５に対応した送信ユニット１０２の送信部１１１（１１１ｂ，１１１ｄ…）に出力される。
【００３７】
このように、各伝送路（Ａ，Ｃ，Ｅ，Ｇ）１０５の信号に対する好適化が施されるときには、この好適化しようとする伝送路（Ａ，Ｃ，Ｅ，Ｇ）１０５に隣接する伝送路（Ｂ，Ｄ，Ｆ，Ｈ）１０５の出力を停止することにより、伝送路（Ａ，Ｃ，Ｅ，Ｇ）１０５の好適化処理をクロストークの影響を抑止した状態でおこなうことができるようになる。
【００３８】
次の２回目の好適化実施時においても、好適化制御部１３２は、クロストークテーブル１３１を参照して、好適化を実施していない残り４つの系統の伝送路（Ｂ，Ｄ，Ｆ，Ｈ）１０５を選択し、上記同様に好適化を実施する（操作Ｓ３０３、実施順２）。また、この際には上記同様に、好適化する伝送路（Ｂ，Ｄ，Ｆ，Ｈ）１０５に隣接する伝送路（Ａ，Ｃ，Ｅ，Ｇ）１０５については、好適化実施時に信号を出力停止させる。
【００３９】
上記処理により、全ての伝送路（Ａ〜Ｈ）１０５に対する好適化が実施され、エンファシス／イコライザの好適値が設定される。この後、好適化制御部１３２は、全ての伝送路（Ａ〜Ｈ）１０５の出力をアクティブにして（操作Ｓ３０４）、通信装置１００としての運用を開始させる（操作Ｓ３０５）。
【００４０】
上記のように、ある一つの伝送路Ａの好適化をおこなおうとする場合、隣接する伝送路Ｂを除きさらに離れている伝送路Ｃはアクティブにして同時に好適化をおこなうことができる。そして、上記処理によれば、複数系統の伝送路１０５に対する好適化の実施回数を減らすことができる。上記処理では、８系統を８回にわたり好適化処理する必要はなく、２回で済むため、好適化処理にかかる時間を短縮化できるようになる。
【００４１】
（好適化処理の実施回数の判定について）
図４は、実施の形態１にかかる好適化処理の実施回数を判定する処理を示すフローチャートである。図４に示す処理は、好適化制御部１３２が図２に示したクロストークテーブル１３１の設定を読み込み、複数系統の伝送路を同時に好適化する実施回数および伝送路の好適化の実施順を判定する。
【００４２】
実施順の初期値は１とし１ずつ加算され、伝送路はＡからＨに至る順で判定していくものとする（操作Ｓ４０１）。次に、好適化制御部１３２は、操作Ｓ４０１の伝送路の伝送路状態を確認する（操作Ｓ４０２）。伝送路の状態が実施順が未定であるときには（操作Ｓ４０２：未定）、この伝送路の状態を実施順に確定するとともに、この対象伝送路に対してクロストーク源となる隣接する伝送路をクロストークテーブル１３１を参照して得る（操作Ｓ４０３）。
【００４３】
次に、好適化制御部１３２は、図２に示したクロストークテーブル１３１上でクロストークの影響を与える設定（○）がされた伝送路について、伝送路状態を確認する（操作Ｓ４０４）。伝送路の状態が実施順が未定であるときには（操作Ｓ４０４：未定）、この伝送路の状態をＮｅｘｔ（次回以降の実施を示す）とする（操作Ｓ４０５）。なお、操作Ｓ４０２、および操作Ｓ４０４において、既に実施順が確定（Ｎｅｘｔに設定）されている場合には（操作Ｓ４０２：Ｎｅｘｔ、および操作Ｓ４０４：Ｎｅｘｔ）、いずれも操作Ｓ４０６に移行する。
【００４４】
次に、操作Ｓ４０６では、好適化制御部１３２は、最後の伝送路Ｈまで判断処理が達したかを判断し、最後の伝送路まで達していれば（操作Ｓ４０６：Ｙｅｓ）、次に、全伝送路の実施順確定であるか判定し（操作Ｓ４０７）、全伝送路の実施順が確定していれば（操作Ｓ４０７：Ｙｅｓ）、以上の実施順判定の処理を終了する。
【００４５】
また、操作Ｓ４０６において、最後の伝送路Ｈまで判定処理が達していなければ（操作Ｓ４０６：Ｎｏ）、伝送路を次の伝送路とし（操作Ｓ４０８）、操作Ｓ４０２に復帰し、操作Ｓ４０２以降の処理を再度実行する。また、操作Ｓ４０７において、全伝送路の実施順が確定していなければ（操作Ｓ４０７：Ｎｏ）、１回の実施順が確定し、次回の実施順を判断するために、伝送路状態がＮｅｘｔとなっている伝送路についてはクリアし、伝送路の初期値をＡとし（操作Ｓ４０９）、操作Ｓ４０２以降の処理を再度実行する。
【００４６】
（好適化の実施回数の判定に用いるデータテーブルについて）
図５は、実施の形態１にかかる好適化の実施回数の判定に用いるデータテーブルを示す図である。好適化制御部１３２が図４に示す処理を実行した結果のデータがデータテーブル５００の「伝送路状態」の項目に順次設定されていき作成される。このデータテーブル５００は、好適化制御部１３２が書き込み可能なＲＯＭ等である。
【００４７】
図５の状態は、図４の処理が完了し、全てのデータが項目に設定された状態である。図の左側には、図４の処理の説明を記載してある。図の右側の「伝送路状態」の項目には、操作Ｓ４０２の伝送路状態確認時、および操作Ｓ４０５のＮｅｘｔ設定時に、それぞれデータが書き込まれる。そして、「伝送路状態」の項目に一度書き込まれた実施順を示すデータ（１，２）は消去されずに保持されるものとする。但し、Ｎｅｘｔのデータは、実施順が１→２に繰り上がった場合にクリアされる。
【００４８】
図５に示す「伝送路状態」の各項目へのデータ設定の状態を図４に示す処理順に、具体的に説明する。操作Ｓ４０１では、はじめに、実施順１＝１、伝送路＝Ａであり、「伝送路状態」の伝送路Ａに１が設定される（項目５０１上段の設定）。次に、操作Ｓ４０２では、操作Ｓ４０１の伝送路Ａの伝送路状態を確認し、伝送路Ａの状態が実施順が未定であるため、この伝送路Ａの状態を初期状態である実施順＝１として設定する。また、操作Ｓ４０３では、クロストーク源となる隣接する伝送路Ｂをクロストークテーブル１３１を参照して得る。そして、操作Ｓ４０４では、クロストークテーブル１３１上でクロストークの影響を与える設定（○）がされた伝送路Ｂについて、伝送路状態を確認し、実施順が未定であるため、操作Ｓ４０５では伝送路Ｂの状態をＮｅｘｔに設定する（項目５０１下段の設定）。
【００４９】
次に、操作Ｓ４０６では、伝送路＝Ａの状態で判定されるから、操作Ｓ４０８では次の伝送路Ｂにシフトされ、操作Ｓ４０２に復帰したとき、伝送路Ｂについて伝送路状態が確認される（項目５０２の設定）。この伝送路＝Ｂの処理時には、操作Ｓ４０２では、伝送路ＢがＮｅｘｔ（操作Ｓ４０２：Ｎｅｘｔ）に分岐し、操作Ｓ４０６に移行する。操作Ｓ４０６では、伝送路＝Ｂの状態で判定されるから、操作Ｓ４０８では次の伝送路Ｃにシフトされ、操作Ｓ４０２に復帰したとき、伝送路Ｃについて判定処理がなされる。
【００５０】
以降、伝送路Ｃ〜Ｈまで上記の判定処理が繰り返され、「伝送路状態」の各項目にデータが順次設定されていく。判定対象の伝送路が伝送路Ｈまで達すると、操作Ｓ４０６：Ｙｅｓ、および操作Ｓ４０７：Ｎｏの判定により、操作Ｓ４０９に至る。操作Ｓ４０９では、実施順＝２に繰り上がり、実施順１における各伝送路の実施順が確定される（項目５０６の設定）。この際、実施順＝１→２へと繰り上がり、Ｎｅｘｔのデータのみクリアされる（項目５０７の設定）。
【００５１】
この後、実施順＝２、伝送路＝Ａとして、実施順２に関する判定処理（操作Ｓ４０２以降）が実施される。以降の処理では、設定する伝送路の状態（実施順＝２）とされる。そして、操作Ｓ４０２では、操作Ｓ４０１の伝送路Ａの伝送路状態を確認し、伝送路Ａの状態は実施順が確定済みであるため、この伝送路Ａについては設定済みである実施順１に対する設定をおこなわず、操作Ｓ４０６に移行する（項目５１０の設定）。
【００５２】
操作Ｓ４０６では、伝送路＝Ａの状態で判定されるから、操作Ｓ４０８では次の伝送路Ｂにシフトされ、操作Ｓ４０２に復帰したとき、伝送路Ｂについて伝送路状態が確認される（項目５１１）。この伝送路＝Ｂについては、実施順＝２として設定される（項目５１１の上段の設定）。また、操作Ｓ４０４では、伝送路Ｂに対してクロストーク源となる伝送路Ａ，Ｃについては伝送路状態（実施順）が１で確定済みと判定され、データテーブル５００に保持されている（項目５１１の下段の設定）。
【００５３】
以降、同様にして伝送路Ｃ〜Ｈまで上記の判定処理が繰り返され、データテーブル５００の「伝送路状態」の各項目にデータが順次設定されていく。判定対象の伝送路が伝送路Ｈまで達すると、好適化制御部１３２は、操作Ｓ４０７で全伝送路の実施順が確定されているか判定し、項目５１２の全伝送路Ａ〜Ｈに実施順１，２が設定されていることを確認して、実施順判定処理を終了する。
【００５４】
上述した説明では、図３を用いた好適化時の実施順で選択される各伝送路は、図２に示すクロストークテーブル１３１を参照して選択するとした。より詳細には、伝送路の実施順については、図４に示した処理により生成したデータテーブル５００（図５参照）に基づき選択することができる。すなわち、好適化制御部１３２は、このデータテーブル５００に設定保持された実施順と、実施順に含まれる伝送路の情報（データテーブル５００の最下段の項目５１２に設定された各伝送路に対する実施順）に基づいて、図３に記載した処理のとおり、実施順に対応する伝送路を選択して、好適化を実施する。この際、伝送路に対してクロストーク源となる伝送路については、図２に示したクロストークテーブル１３１を参照して該当するクロストーク源の伝送路に対して信号の停止制御をおこなう。この後、全ての伝送路をアクティブにして通信装置１００の運用を開始する。
【００５５】
以上により、好適化制御部１３２は、全伝送路Ａ〜Ｈに対する好適化の実施について、データテーブル５００に設定された実施順１，２にそれぞれ設定された伝送路を振り分けて２回の実施でおこなえるようになる。すなわち、８系統の伝送路を８回にわたり好適化処理する必要はなく、４系統ずつ２回の処理で済むため、好適化処理にかかる時間を短縮化できるようになる。
【００５６】
このように、実施の形態１にかかる通信装置によれば、クロストークの影響を抑止して伝送路の伝送特性を向上するための信号調節を好適におこなえるようになる。この際、プリエンファシス部およびラインイコライザの好適化実施時に、好適化を実施する伝送路に対して障害となるクロストークの影響を与える伝送路の動作を停止させている。これにより、プリエンファシス部およびラインイコライザの調節時、特に信号波形を変化させるなどの影響を防止して好適化を実施できるようになる。
【００５７】
したがって、プリエンファシス部およびラインイコライザを用いて信号の調節を好適化させることができ、このプリエンファシスおよびイコライザの設定値を好適にできるようになり、伝送路に対して期待した伝送特性を実現できる好適化が実現できるようになる。これにより、通信装置１００の設計時に必要以上のマージンをもたせる必要がなくなる。また、バックワイヤリングボード１０１の材質に、よりコストの安い材質を用いることも可能となる。また、バックワイヤリングボード１０１に同じ品質の材質を用いた場合には、好適化実施によって以前より低振幅の信号を用いることも可能になり、低消費電力化、伝送速度の高速化が可能となる。
【００５８】
さらに、伝送路の系統数と、各伝送路に対してクロストーク源となる伝送路の状態をクロストークテーブルに保持し、このクロストークテーブルを参照して、通信装置内に設けた複数の伝送路をクロストークの影響を抑止して同時に好適化できる組み合わせを求める構成としている。これにより、伝送路の好適化の実施回数を最小限にすることができるようになり、全ての伝送路に対する好適化を短時間で実施できるようになり、好適化を効率的におこなえるようになる。
【００５９】
（実施の形態２）
実施の形態２では、通信装置１００に設けられた各ユニット毎の伝送路を単位として通信装置１００全体のクロストークの影響を抑止する好適化処理をおこなう構成について説明する。
【００６０】
（実施の形態２の構成）
図６は、実施の形態２にかかる通信装置を示す構成図である。図６に示す構成部において実施の形態１（図１）と同一の構成部には同一の符号を付してある。図示のように、実施の形態２では、バックワイヤリングボード１０１に共通クロストークテーブル６０１を設け、送信ユニット１０２に送信ユニットクロストークテーブル６０２を設け、受信ユニット１０３に受信ユニットクロストークテーブル６０３を設けている。なお、これら共通クロストークテーブル６０１、送信ユニットクロストークテーブル６０２、受信ユニットクロストークテーブル６０３は、中央に集中して設けてもよく、たとえば、バックワイヤリングボード１０１に設けてもよい。
【００６１】
共通クロストークテーブル６０１には、バックワイヤリングボード１０１内の伝送路１０５におけるクロストークの情報が設定されている。送信ユニットクロストークテーブル６０２には、送信ユニット１０２内の伝送路に対するクロストークの情報が設定されている。受信ユニットクロストークテーブル６０３には、受信ユニット１０３内の伝送路に対するクロストークの情報が設定されている。
【００６２】
これら共通クロストークテーブル６０１と、送信ユニットクロストークテーブル６０２と、受信ユニットクロストークテーブル６０３とにそれぞれ設定されたクロストークの情報は、好適化制御部１３２によって読み取られる。
【００６３】
（クロストークテーブルについて）
図７は、実施の形態２にかかる各クロストークテーブルの内容を示す図である。共通クロストークテーブル６０１は、図２のクロストークテーブル１３１と同様の設定であるとする。送信ユニットクロストークテーブル６０２には、送信ユニット１０２内の伝送路Ａに対して伝送路Ｆがクロストーク源であることが設定されている（伝送路Ｆに対して伝送路Ａがクロストーク源６０２ａ）。受信ユニットクロストークテーブル６０３には、受信ユニット１０３内の伝送路Ｂに対して伝送路Ｈがクロストーク源であることが設定されている（伝送路Ｈに対して伝送路Ｂがクロストーク源６０３ａ）。
【００６４】
好適化制御部１３２は、これら共通クロストークテーブル６０１と、送信ユニットクロストークテーブル６０２と、受信ユニットクロストークテーブル６０３とを読み取り、図示しないＲＯＭ等の記憶部に全体クロストークテーブル７０１を作成する。全体クロストークテーブル７０１は、これら共通クロストークテーブル６０１と、送信ユニットクロストークテーブル６０２と、受信ユニットクロストークテーブル６０３の設定内容を全て合わせ（加算し）たものである。
【００６５】
（実施の形態２の好適化の実施回数の判定に用いるデータテーブルについて）
実施の形態２においても、好適化制御部１３２は、実施の形態１（図４）に記載したフローチャートに従い、好適化の実施回数を決定する。
【００６６】
図８は、実施の形態２にかかる好適化の実施回数の判定に用いるデータテーブルを示す図である。図８に示すデータテーブル８００について、「伝送路状態」の各項目へのデータ設定の状態を図４に示す処理順に、具体的に説明する。操作Ｓ４０１では、はじめに、実施順＝１、伝送路＝Ａであり、「伝送路状態」の伝送路Ａに１が設定される（項目８０１上段の設定）。次に、操作Ｓ４０２では、操作Ｓ４０１の伝送路Ａの伝送路状態を確認し、伝送路Ａの状態が実施順が未定であるため、この伝送路Ａの状態を初期状態である実施順＝１として設定する。また、操作Ｓ４０３では、クロストーク源となる伝送路Ｂ，Ｆを全体クロストークテーブル７０１を参照して得る。そして、操作Ｓ４０４では、全体クロストークテーブル７０１上でクロストークの影響を与える設定（○）がされた伝送路Ｂ，Ｆについて、伝送路状態を確認し、実施順が未定であるため、操作Ｓ４０５では伝送路Ｂ，Ｆの状態をＮｅｘｔに設定する（項目８０１下段の設定）。
【００６７】
次に、操作Ｓ４０６では、伝送路＝Ａの状態で判定されるから、操作Ｓ４０８では次の伝送路Ｂにシフトされ、操作Ｓ４０２に復帰したとき、伝送路Ｂについて伝送路状態が確認される（項目８０２の設定）。この伝送路＝Ｂの処理時には、操作Ｓ４０２では、伝送路ＢがＮｅｘｔ（操作Ｓ４０２：Ｎｅｘｔ）に分岐し、操作Ｓ４０６に移行する。操作Ｓ４０６では、伝送路＝Ｂの状態で判定されるから、操作Ｓ４０８では次の伝送路Ｃにシフトされ、操作Ｓ４０２に復帰したとき、伝送路Ｃについて判定処理がなされる。
【００６８】
以降、伝送路Ｃ〜Ｈまで上記の判定処理が繰り返され、「伝送路状態」の各項目にデータが順次設定されていく。判定対象の伝送路が伝送路Ｈまで達すると、操作Ｓ４０６：Ｙｅｓ、および操作Ｓ４０７：Ｎｏの判定により、操作Ｓ４０９に至る。操作Ｓ４０９では、実施順＝２に繰り上がり、実施順１における各伝送路の実施順が確定される（項目８０６の設定）。この際、実施順＝１→２へと繰り上がり、Ｎｅｘｔのデータのみクリアされる（項目８０７の設定）。
【００６９】
この後、実施順＝２、伝送路＝Ａとして、実施順２に関する判定処理（操作Ｓ４０２以降）が実施される。以降の処理では、設定する伝送路の状態（実施順＝２）とされる。そして、操作Ｓ４０２では、操作Ｓ４０１の伝送路Ａの伝送路状態を確認し、伝送路Ａの状態が実施順が確定済みであるため、この伝送路Ａについては設定済みである実施順１に対する設定をおこなわず、操作Ｓ４０６に移行する（項目８１０の設定）。
【００７０】
操作Ｓ４０６では、伝送路＝Ａの状態で判定されるから、操作Ｓ４０８では次の伝送路Ｂにシフトされ、操作Ｓ４０２に復帰したとき、伝送路Ｂについて伝送路状態が確認される（項目８１１）。この伝送路＝Ｂについては、実施順＝２として設定される（項目８１１の上段の設定）。また、操作Ｓ４０４では、伝送路Ｂに対してクロストーク源となる伝送路Ａ，Ｃについては伝送路状態（実施順）が１で確定済みと判定され、データテーブル５００に保持される（項目８１１中段の設定）。さらに、伝送路Ｈについては、伝送路状態を確認し、実施順が未定であるため、操作Ｓ４０５では伝送路Ｈの状態をＮｅｘｔに設定する（項目８１１下段の設定）。
【００７１】
以降、同様にして伝送路Ｃ〜Ｈまで上記の判定処理が繰り返され、「伝送路状態」の各項目にデータが順次設定されていく。判定対象の伝送路が伝送路Ｈまで達すると、操作Ｓ４０６：Ｙｅｓ、および操作Ｓ４０７：Ｎｏの判定により、操作Ｓ４０９に至る。操作Ｓ４０９では、実施順＝３に繰り上がり、実施順２における各伝送路の実施順が確定される（項目８１２の設定）。この際、実施順＝２→３へと繰り上がり、Ｎｅｘｔのデータのみクリアされる（項目８１３の設定）。
【００７２】
この後、実施順＝３、伝送路＝Ａとして、実施順３に関する判定処理（操作Ｓ４０２以降）が実施される。この実施順３の処理では、実施順が未定であった伝送路Ｈについて、操作Ｓ４０２にて実施順３が設定される（項目８２１上段の設定）。また、伝送路Ｈに対してクロストーク源となる伝送路Ｇは伝送路状態（実施順）が１で確定済みと判定されデータテーブル５００に保持されている（項目８２１下段の設定）。最後に、判定対象の伝送路が最後の伝送路Ｈまで達することにより、操作Ｓ４０７で全伝送路の実施順が確定されているか判定され、項目８２２の全伝送路Ａ〜Ｈに実施順１，２，３が設定されていることを確認して、実施順判定処理を終了する。
【００７３】
（好適化処理の処理内容について）
図９は、実施の形態２にかかる伝送路の好適化処理の処理内容を示すフローチャートである。制御ユニット１０４の好適化制御部１３２は、データテーブル８００の最下段の項目８２２に設定された各伝送路に対する実施順を参照し、各伝送路に対する好適化の実施順を選択する。また、図７に示した全体クロストークテーブル７０１を参照して該当するクロストーク源の伝送路に対して信号の停止制御をおこなう。
【００７４】
通信装置１００に対する好適化の実施は、通信装置の起動毎に実行される（操作Ｓ９０１）。そして、好適化制御部１３２は、データテーブル８００を参照して、１回目の好適化実施時には、実施順１で好適化する伝送路に設定された複数の伝送路（Ａ，Ｃ，Ｅ，Ｇ）１０５を選択する（操作Ｓ９０２）。そして、選択した伝送路（Ａ，Ｃ，Ｅ，Ｇ）１０５に対しては、好適化制御信号ｚを出力する。この好適化制御信号ｚは、データバス１０６ｚを介して好適化する伝送路（Ａ，Ｃ，Ｅ，Ｇ）１０５に対応した送信ユニット１０２のエンファシス制御部１１３（１１３ａ，１１３ｃ…）、および受信ユニット１０３のイコライザ制御部１２３（１２３ａ，１２３ｃ…）に出力される。
【００７５】
これにより、好適化する伝送路（Ａ，Ｃ，Ｅ，Ｇ）１０５に対しては、エンファシス制御部１１３は、プリエンファシス部１１２に対して好適化のためのプリエンファシス値を好適とする制御をおこない、また、イコライザ制御部１２３は、ラインイコライザ１２２に対してラインイコライザ値を好適とする制御をおこなってプリエンファシスされた入力信号に対する整合処理をおこなう。これらにより、各伝送路（Ａ，Ｃ，Ｅ，Ｇ）１０５の信号に対する好適化が施される。
【００７６】
この操作Ｓ９０２では、好適化する伝送路（Ａ，Ｃ，Ｅ，Ｇ）１０５に対しては、送信ユニット１０２の各送信部１１１から信号を出力している。これと同時に、好適化制御部１３２は、全体クロストークテーブル７０１を参照し、好適化を実施する複数の伝送路（Ａ，Ｃ，Ｅ，Ｇ）１０５に対してクロストーク源となる伝送路（Ｂ，Ｄ，Ｆ，Ｈ）１０５の情報を得る。そして、この伝送路（Ｂ，Ｄ，Ｆ，Ｈ）１０５については、データバス１０６ｘを介して出力停止制御信号ｘを出力する。この出力停止制御信号ｘは、データバス１０６ｘを介して出力停止する伝送路（Ｂ，Ｄ，Ｆ，Ｈ）１０５に対応した送信ユニット１０２の送信部１１１（１１１ｂ，１１１ｄ…）に出力される。
【００７７】
このように、各伝送路（Ａ，Ｃ，Ｅ，Ｇ）１０５の信号に対する好適化が施されるときには、この好適化しようとする伝送路（Ａ，Ｃ，Ｅ，Ｇ）１０５に対してクロストーク源となる伝送路（Ｂ，Ｄ，Ｆ，Ｈ）１０５の出力を停止することにより、伝送路（Ａ，Ｃ，Ｅ，Ｇ）１０５の好適化処理をクロストークの影響を抑止した状態でおこなうことができるようになる。
【００７８】
次の２回目の好適化実施時においても、好適化制御部１３２は、データテーブル８００を参照して、実施順２で好適化する伝送路に設定された複数の伝送路（Ｂ，Ｄ，Ｆ）１０５を選択し、上記同様に好適化を実施する（操作Ｓ９０３）。また、この際には、全体クロストークテーブル７０１を参照し、好適化を実施する複数の伝送路（Ｂ，Ｄ，Ｆ）１０５に対してクロストーク源となる伝送路（Ａ，Ｃ，Ｅ，Ｇ，Ｈ）１０５の情報を得る。そして、これらの伝送路（Ａ，Ｃ，Ｅ，Ｇ，Ｈ）１０５については、好適化実施時に信号を出力停止させる。
【００７９】
次の３回目の好適化実施時においても、好適化制御部１３２は、データテーブル８００を参照して、実施順３で好適化する伝送路に設定された伝送路（Ｈ）１０５を選択し、上記同様に好適化を実施する（操作Ｓ９０４）。また、この際には、全体クロストークテーブル７０１を参照し、好適化を実施する伝送路（Ｈ）１０５に対してクロストーク源となる伝送路（Ｂ，Ｇ）１０５の情報を得る。そして、これらの伝送路（Ｂ，Ｇ）１０５については、好適化実施時に信号を出力停止させる。
【００８０】
上記処理により、全ての伝送路（Ａ〜Ｈ）１０５に対する好適化が実施され、エンファシス／イコライザの好適値が設定される。この後、好適化制御部１３２は、全ての伝送路（Ａ〜Ｈ）１０５の出力をアクティブにして（操作Ｓ９０５）、通信装置１００としての運用を開始する（操作Ｓ９０６）。
【００８１】
上記の好適化処理の例では、伝送路Ｈに対して伝送路Ｂ，Ｇがクロストーク源となっているため、実施順２で選択した伝送路Ｂ，Ｄ，Ｆとともに、伝送路Ｈを含み同時に好適化をすることができないため、伝送路Ｈは実施順３となっている。このように、全体クロストークテーブル７０１に相互の伝送路間でのクロストークの状態を設定しておくことにより、図４に示す処理を実行すれば、伝送路同士の組み合わせを判断し、実施順を設定できるようになる。
【００８２】
以上説明したように、実施の形態２にかかる通信装置によれば、実施の形態１同様に、クロストークの影響を抑止した状態で伝送路の信号調節をおこなうことができるようになる。この際、プリエンファシス部およびラインイコライザの好適化実施時に、好適化を実施する伝送路に対して障害となるクロストークの影響を与える伝送路の動作を停止させている。これにより、プリエンファシス部およびラインイコライザの調節時、特に信号波形を変化させるなどの影響を防止して好適化を実施できるようになる。
【００８３】
また、実施の形態２では、送信ユニット１０２、受信ユニット１０３の各ユニットのそれぞれが有するクロストークの情報を集約させて、全体クロストークテーブルに設定している。これにより、通信装置１００の各ユニット別にクロストークの状態を設定するだけで、通信装置１００全体の伝送路の好適化を実施できる。特に、送信ユニット１０２、受信ユニット１０３の各ユニットの内部でクロストークが生じる場合に対応して、クロストークの影響を抑止した好適化を実施できるようになる。また、各ユニット別に異なるクロストーク発生の状態を設定できるため、通信装置１００内でユニット単位での交換に容易に対応でき、この際、クロストークテーブル全体を再設定する必要がない。
【００８４】
さらに、好適化制御部１３２は、全伝送路Ａ〜Ｈに対する好適化の実施について、データテーブル５００に設定された実施順で伝送路を振り分けて実施できるようになる。この際、同時に好適化することができない伝送路の組み合わせを除外でき、除外する伝送路の好適化については他の実施順に振り分けることにより、クロストークの影響を排除しつつ同時に好適化できる伝送路の系統数をできるだけ増やすことができるようになる。これにより、好適化処理にかかる時間を短縮化できるようになる。
【００８５】
上記各実施の形態では、説明の便宜上、伝送路１０５の系統数を８としたが、通信装置１００が実際に有する伝送路１０５の系統数は、一つの送信ユニット１０２（あるいは受信ユニット１０３）あたりたとえば１００系統（本）設けられる。また、バックワイヤリングボード１０１は、１０個のユニット（送信ユニット１０２および受信ユニット１０３）に接続可能である。このため、バックワイヤリングボード１０１上での伝送路１０５の系統数は１０００系統（本）と、多数設けられることになる。このように通信装置１００は、多数系統の伝送路を有するが、上述したように同時に好適化する伝送路の組み合わせを判定することにより、全伝送路に対する好適化の実施回数（実施順）を最小化することができる。また、伝送路の系統数が多いほど好適化の実施にかかる時間を短縮化でき、好適化の実施の効率を向上できる。
【００８６】
なお、別な実施の形態として、送信ユニットは送信器、受信ユニットは受信器、制御ユニットはコントローラ、プリエンファシス部はプリエンファシス回路、エンファシス制御部はエンファシスコントローラ、ラインイコライザはラインイコライザ回路、好適化制御部は好適化制御回路、イコライザ制御部はイコライザコントローラ、好適化制御部は好適化コントローラに置き換えて構成してもよい。
【００８７】
上述した実施の形態に関し、さらに以下の付記を開示する。
【００８８】
（付記１）装置に設けられ、信号を伝送する複数の伝送路と、
前記伝送路の信号波形の調節により伝送特性が好適となる状態に調節可能な調節部と、
前記調節部による前記伝送路の伝送特性の調節を制御するとともに、調節する前記伝送路に影響を与える他の伝送路を判定し、前記他の伝送路からのクロストーク発生の抑止を制御する制御部と、
を備えることを特徴とする通信装置。
【００８９】
（付記２）前記制御部は、前記伝送路の組み合わせ情報と、前記伝送路にクロストークの影響を与える前記他の伝送路の組み合わせ情報とに基づいて、前記伝送路のうち、同時に伝送特性を調節できる複数の前記伝送路の組み合わせを求め、組み合わせられた前記伝送路に対して信号波形を調節することを特徴とする付記１に記載の通信装置。
【００９０】
（付記３）前記制御部は、前記伝送路の組み合わせの判定に基づいて、全ての前記伝送路を組み合わせたときの全体の調節の回数および前記伝送路の調節の順序を求め、前記調節の順序にしたがい前記組み合わせられた前記伝送路に対して信号波形を調節することを特徴とする付記２に記載の通信装置。
【００９１】
（付記４）前記伝送路の情報と、前記伝送路の信号にクロストークの影響を与える前記他の伝送路の情報とを関連付けて記憶する記憶部を備え、
前記制御部は、前記記憶部に記憶された情報に基づいて、前記伝送路に対して信号波形を調節することを特徴とする付記１〜３のいずれか一つに記載の通信装置。
【００９２】
（付記５）複数の前記伝送路に接続される複数の信号ユニットを備え、
前記記憶部は、前記信号ユニット毎に、信号伝送する前記伝送路の情報と、前記伝送路の信号にクロストークの影響を与える前記他の伝送路の情報とを関連付けて記憶し、
前記制御部は、前記信号ユニット毎に記憶された前記記憶部の情報を集約させ、前記集約させた情報に基づいて、前記調節部による前記伝送路の伝送特性の調節を制御することを特徴とする付記４に記載の通信装置。
【００９３】
（付記６）前記調節部は、前記伝送路に対して出力する信号に対するプリエンファシス値を調節するプリエンファシス部であることを特徴とする付記１〜５のいずれか一つに記載の通信装置。
【００９４】
（付記７）前記調節部は、前記伝送路を介して入力される信号に対するイコライザ値を調節するイコライザ部であることを特徴とする付記１〜６のいずれか一つに記載の通信装置。
【００９５】
（付記８）前記信号ユニットは、前記伝送路に信号を送信する送信ユニットと、前記伝送路から信号を受信する受信ユニットと、前記信号ユニットおよび前記受信ユニットが接続されるバックボードユニットと、からなることを特徴とする付記５〜７のいずれか一つに記載の通信装置。
【００９６】
（付記９）前記制御部は、前記他の伝送路の信号を停止させることにより、当該他の伝送路からのクロストークの発生を抑止させることを特徴とする付記１〜８のいずれか一つに記載の通信装置。
【００９７】
（付記１０）通信装置に設けられて信号伝送する伝送路の情報と、前記伝送路の信号にクロストークの影響を与える他の伝送路の情報とを関連付けるステップと、
前記関連付けされた情報に基づいて、前記伝送路の伝送特性の調節を制御する際に、前記調節する前記伝送路に影響を与える前記他の伝送路を判定するステップと、
前記判定に基づいて、前記伝送路を信号調節して伝送特性が好適となる状態に変更させるステップと、
前記判定に基づいて、前記伝送路に対する信号調節時に、前記他の伝送路からのクロストークの発生を抑止させるステップと、
を含むことを特徴とする通信装置設定方法。
【符号の説明】
【００９８】
１００  通信装置
１０１  バックワイヤリングボード
１０１ａ〜１０１ｃ，１０２ａ，１０３ａ，１０４ａ  コネクタ
１０２  送信ユニット
１０３  受信ユニット
１０４  制御ユニット
１０５  伝送路
１０６  データバス
１１１  送信部
１１２  プリエンファシス部
１１３  エンファシス制御部
１２１  受信部
１２２  ラインイコライザ
１２３  イコライザ制御部
１２４  信号モニタ
１３１  クロストークテーブル
１３２  好適化制御部
５００  データテーブル
６０１  共通クロストークテーブル
６０２  送信ユニットクロストークテーブル
６０３  受信ユニットクロストークテーブル
７０１  全体クロストークテーブル
８００  データテーブル
ｘ  出力停止制御信号
ｚ  好適化制御信号
【図１】
0005664295.tif 000002
【図２】
0005664295.tif 000003
【図３】
0005664295.tif 000004
【図４】
0005664295.tif 000005
【図５】
0005664295.tif 000006
【図６】
0005664295.tif 000007
【図７】
0005664295.tif 000008
【図８】
0005664295.tif 000009
【図９】
0005664295.tif 000010
【図１０】
0005664295.tif 000011